(57)【要約】【課題】デスクその他の台の上に頭部や顔を伏せて寝るときの枕として、また背もたれクッションとしての使用に適した快適枕構造の提供。【解決手段】快適枕構造１０は、柔軟性と快適さを兼ね備えた枕マット１と、枕マット１の下に設置され、枕マット１に傾斜角を形成するための弾性サポーターＡとによって構成される。この快適枕構造１０はまた、外袋及び外袋の内側に設けられた軟性枕芯材によって構成され、柔軟性と快適さを兼ね備えた枕マットと、外袋の内側で枕芯材の下に設置され、枕マットに傾斜角を形成するための弾性サポーターとにより構成される。【選択図】図１
0003128665.tif 000002
【実用新案登録請求の範囲】
【請求項１】
柔軟性及び快適さを兼ね備えた一つの枕マット（１）、及び枕マット（１）の下に設置され、枕マット（１）に傾斜角を形成するための弾性サポーター（Ａ）とを備えたことを特徴とする快適枕構造。
【請求項２】
外袋（１４）及び外袋の内側に設けられた軟性枕芯材（１５）によって構成され、柔軟性及び快適さを兼ね備えた一つの枕マット（１）と、外袋（１４）の内側で枕芯材（１５）の下に設置され、枕マット（１）に傾斜角を形成するための弾性サポーター（Ａ）とを備えたことを特徴とする快適枕構造。
【請求項３】
枕マット（１）の底部には弾性サポーター（Ａ）を入れるための袋（１１）が設置される請求項１に記載の快適枕構造。
【請求項４】
弾性サポーター（Ａ）は垂直三角形、等角三角形、楕円形、長方形、円錐形、梯形のいずれかの立体形式が採用される請求項１又は２に記載の快適枕構造。
【請求項５】
弾性サポーター（Ａ）は中空気室（２０）を有し、気体、液体または流体を注入可能な樹脂膨張構造（２）として構成される請求項１又は２に記載の快適枕構造。
【請求項６】
弾性サポーター（Ａ）は固型化発泡体（４）が採用される請求項１又は２に記載の快適枕構造。
【請求項７】
弾性サポーター（Ａ）は内部に気体、液体または流体を注入可能な中空の樹脂膨張構造（２）、及び膨張構造（２）の底部に結合された固型化発泡体（４）によって構成される請求項１又は２に記載の快適枕構造。
【請求項８】
膨張構造（２）の頂面（２１）にはウェーブ状、のこぎり歯ウェーブ状、交差ウェーブ状、滑り止め凸粒などの波形ウェーブ構造（２５）が設置される請求項５に記載の快適枕構造。
【請求項９】
膨張構造（２）の底面（２２）にはウェーブ状、のこぎり歯ウェーブ状、交差ウェーブ状、滑り止め凸粒などの波形ウェーブ構造（２６）が設置される請求項５に記載の快適枕構造。
【請求項１０】
膨張構造（２）の内側には最低一枚の水平隔離板（２７）が設けられ、膨張構造（２）の内部に二つ以上の気室（２０）が形成される請求項５に記載の快適枕構造。
【請求項１１】
膨張構造（２）の内側には最低一枚の垂直隔離板（２８）が設けられ、膨張構造（２）の内部に二つ以上の気室（２０）が形成される請求項５に記載の快適枕構造。
【請求項１２】
気室（２０）には気体を注入、排出するためのバルブ（２３）、及びバルブを開閉するための栓蓋（２４）が取り付けられる請求項５に記載の快適枕構造。
【請求項１３】
袋（１１）は袋口（１１１）を有し、袋口（１１１）の先端には袋口を密閉するための遮蔽部（１２）が設けられる請求項３に記載の快適枕構造。
【請求項１４】
遮蔽部（１２）と袋口（１１１）の間には任意に分離、結合し得る固定裝置（１３）が設置される請求項１３に記載の快適枕構造。
【請求項１５】
固定裝置（１３）は袋（１１）の袋口の底部に取り付けられたマジックテープ（登録商標）（１３１）、及び遮蔽部（１２）の内側に装着され、前述のマジックテープ（登録商標）（１３１）に対応するマジックテープ（登録商標）（１３２）を含む請求項１４に記載の快適枕構造。
【請求項１６】
枕マット（１）及び枕マットの下の弾性サポーター（Ａ）は固定構造（１６）によって結合される請求項１に記載の快適枕構造。
【請求項１７】
固定構造（１６）はマジックテープ（登録商標）（１６１）、（１６２）、ゴムテープ、ロープ、止め輪のいずれから採用される請求項１６に記載の快適枕構造。
【請求項１８】
外袋（１４）の袋口はファスナー（１７）、マジックテープ（登録商標）、ボタン、隠しボタン、引っ掛けフック、紐止めのいずれかの密閉方式が採用される請求項２に記載の快適枕構造。
【考案の詳細な説明】
【技術分野】
【０００１】
本考案は、快適枕構造に関し、特にデスクその他の台の上に頭部や顔を伏せて寝るときの枕として、また背もたれクッションとしての使用に適した快適枕構造に関する。
【背景技術】
【０００２】
時代の進歩とともに、人々の仕事は忙しさと緊張感が増し、特に会社員は精神力と体力を回復させるために昼休みの時間を利用して昼寝をとっている。そして、昼寝をする時はデスクの上に腕またはミニ枕を置いて頭部や顔を載せ（支え）、デスクに頭部や顔を伏せたうつ伏せの状態になることが多い。近時、昼寝の時間が重要になっている。なお、前述のミニ枕については特許文献１などを参照されたい。
【特許文献１】登録実用新案第３０３９５９４号公報
【考案の開示】
【考案が解決しようとする課題】
【０００３】
しかしながら、デスクその他の台の上に腕を枕代わりにしてうつ伏せの状態で寝ていると、頭部や顔の腕に対する圧迫によって、腕の神経の伝達不良や血管の循環不良が起こり、腕に痛みや痺れが生じることがある。これは、腕は面積が小さく、平坦さや柔らかさに欠けるためで、腕の枕では快適なサポート効果を得ることができない。また、ミニ枕の場合、顔部をサポートし、ある程度の快適さを保つことはできるものの、ミニ枕を使う場合、また腕を枕代わりにする場合も同様で、使用者は椅子に腰掛けたまま、身体を前方に倒しているために、頭部、顔部とデスクの間に傾斜角が生じ、ミニ枕ではその傾斜角に合わせたサポート機能を提供することができず、長時間の睡眠をとった後に頸部に凝りと痛みを引き起こすことが多い。
【０００４】
本考案は、このような従来の課題に鑑みなされたもので、特に、デスクその他の台の上に頭部や顔を伏せたうつ伏せの状態で寝る時に、使用者の頭部や顔に適度のサポート機能を発揮して、頸部の凝りや痛みを解消することのできる優れた快適枕構造を提供することを目的とする。
【課題を解決するための手段】
【０００５】
上記課題を解決するために、本考案は、柔軟性と快適さを兼ね備えた一つの枕マット１、及び枕マット１の下に設置され、枕マット１に傾斜角を作り出すための一つの弾性サポーターＡによって構成された一種の快適枕構造１０を提供する。本考案はまた、外袋１４及び外袋の内側に設けられた軟性枕芯材１５によって構成され、柔軟性と快適さを兼ね備えた枕マット１、及びこの外袋１４の内側及び枕芯材１５の下に設置され、枕マット１に傾斜角を形成するための一つの弾性サポーターＡの組合せ構造を特徴とする一種の快適枕構造１０を提供する。
【０００６】
以下、その特徴を下記に示す。第１に、一種の快適枕構造（１０）は、柔軟性及び快適さを兼ね備えた一つの枕マット（１）、及び枕マット（１）の下に設置され、枕マット（１）に傾斜角を形成するための弾性サポーター（Ａ）を備える。第２に、一種の快適枕構造（１０）は、外袋（１４）及び外袋の内側に設けられた軟性枕芯材（１５）によって構成された柔軟性と快適さを兼ね備えた一つの枕マット（１）、及び前述の外袋（１４）の内側及び枕芯材（１５）の下に設置され、枕マット（１）に傾斜角を形成するための一つの弾性サポーター（Ａ）を備える。第３に、第１の快適枕構造（１０）において、枕マット（１）の底部には弾性サポーター（Ａ）を入れるための袋（１１）が設置される。第４に、第１、第２の快適枕構造（１０）において、弾性サポーター（Ａ）は垂直三角形、等角三角形、楕円形、長方形、円錐形、梯形のいずれの立体形式を用いる。第５に、第１、第２の快適枕構造（１０）において、弾性サポーター（Ａ）は中空気室（２０）を有し、気体、液体または流体を注入できる樹脂膨張構造（２）とする。第６に、第１、第２の快適枕構造（１０）において、弾性サポーター（Ａ）は固型化発泡体（４）を用いる。第７に、第１、第２の快適枕構造（１０）において、弾性サポーター（Ａ）は内部に気体、液体または流体を注入できる中空樹脂膨張構造（２）及び前述の膨張構造（２）の底部に結合された一つの固型化発泡体（４）によって構成されている。第８に、第５の快適枕構造（１０）において、膨張構造（２）の頂面（２１）にはウェーブ状、のこぎり歯ウェーブ状、交差ウェーブ状、滑り止め凸粒などの波形ウェーブ構造（２５）が設置されている。第９に、第５の快適枕構造（１０）において、膨張構造（２）の底面（２２）にはウェーブ状、のこぎり歯ウェーブ状、交差ウェーブ状、滑り止め凸粒などの波形ウェーブ構造（２６）が設置されている。第１０に、第５の快適枕構造（１０）において、膨張構造（２）の内側には最低一枚の水平隔離板（２７）が設けられ、膨張構造（２）の内部に二つ以上の気室（２０）を形成している。第１１に、第５の快適枕構造（１０）において、膨張構造（２）の内側には最低一枚の垂直隔離板（２８）が設けられ、膨張構造（２）の内部に二つ以上の気室（２０）を形成している。第１２に、第５の快適枕構造（１０）において、気室（２０）には気体を注入、排出するためのバルブ（２３）及び前述のバルブを開閉するための栓蓋（２４）が取り付けられている。第１３に、第３の快適枕構造（１０）において、袋（１１）は袋口（１１１）を有し、さらに袋口（１１１）の先端には袋口を密閉するための遮蔽部（１２）が設けられている。第１４に、第１３の快適枕構造（１０）において、遮蔽部（１２）と袋口（１１１）の間には任意に分離、結合させることのできる固定裝置（１３）が設置されている。第１５に、第１４の快適枕構造（１０）において、固定裝置（１３）には袋（１１）の袋口の底部に取り付けられたマジックテープ（登録商標）（１３１）及び遮蔽部（１２）の内側に装着され、前述のマジックテープ（登録商標）（１３１）に対応するマジックテープ（登録商標）（１３２）が含まれている。第１６に、第１の快適枕構造（１０）において、枕マット（１）及び枕マットの下にある弾性サポーター（Ａ）は固定構造（１６）によって結合されている。第１７に、第１６の快適枕構造（１０）において、固定構造（１６）にはマジックテープ（登録商標）（１６１）、（１６２）、ゴムテープ、ロープ、止め輪のいずれを用いることができる。第１８に、第２の快適枕構造（１０）において、外袋（１４）の袋口はファスナー（１７）、マジックテープ（登録商標）、ボタン、隠しボタン、引っ掛けフック、紐止めのいずれの密閉方式を採用することができる。
【考案の効果】
【０００７】
本考案の快適枕構造は、上記構成を有し、枕マット１の底部に弾性サポーターＡが設置されると、弾性サポーターＡの傾斜頂面によって枕マット１は持ち上げられて傾斜角が形成されるため、デスクその他の台の上に頭部や顔を伏せたうつ伏せの状態で寝る時に、使用者の頭部や顔に適度なサポート機能を発揮して、頸部の凝りや痛みを解消することができる。また、これを背もたれ枕として利用した時でも、背中に適度な傾斜角を形成し、腰の凝りや痛みを防止することができる。また、この快適枕構造の場合、弾性サポーターＡに中空の膨張構造２が採用されることで、この膨張構造２にエアまたは液体を送り込むことにより使用することができ、枕マット１の高さを適宜に調整することができる。
【考案を実施するための最良の形態】
【０００８】
以下、本考案を実施するための最良の形態について、図面を参照しながら詳しく説明する。図１乃至図３は本考案の第１の実施の形態を示している。図示のように、快適枕構造１０は柔軟性と快適さを兼ね備えた一つの枕マット１、及び枕マット１の下に設置され、枕マット１に傾斜角を形成するための一つの弾性サポーターＡによって構成されている。
【０００９】
上述の枕マット１は外袋１４及び外袋の内側に設けられた軟性枕芯材１５によって構成されており、軟性枕芯材１５の内側には布切れ、綿繊維、スポンジ、発泡スチロール、ポリスチロール、発泡体、植物の実や茎の屑やもみ殻、液体、ビニール材質等の充填材または軟性材質が封入されている。そして、軟性枕芯材１５の材質には布生地、麻生地、ナイロン生地、ビニール生地、ゴム生地等を利用することができる。
【００１０】
この枕マット１の下に袋１１が設けられている。この袋１１の形状に特に制限はなく、図面では袋１１は三角形の形状となっているが、その形状は本考案を制限するものではない。袋１１の片側は弾性サポーターＡを導入するための袋口１１１が設けられ、その袋口の上縁は遮蔽部１２を有し、もう片側は弾性サポーターＡを阻止するための密閉部となっている。前述の遮蔽部１２の内側及び袋口１１１の底面には任意に結合、分離させることのできる固定裝置１３を設置することができる。この場合、固定装置１３は、袋１１の袋口の底面に取り付けられたマジックテープ（登録商標）１３１、及び遮蔽部１２の内側に装着され、前述のマジックテープ（登録商標）１３１に対応するマジックテープ（登録商標）１３２により構成される。これは固定装置１３の一例であり、このマジックテープ（登録商標）１３１、１３２に代えて、オスバックル及びメスバックル、縄ロープ及びボタン、フック及びフック受けなどを用いることができる。なお、袋１１は枕マット１よりも面積の小さいもの、弾性サポーターＡは袋１１よりやや面積の小さいものを使用すると、導入操作が行ないやすい。
【００１１】
図４は弾性サポーターの第１の実施の形態を示している。図示のように、弾性サポーターＡはエア、液体または流体を注入できる中空気室２０を有する樹脂膨張構造２になっている。膨張構造２の頂面２１は傾斜面で、理想的な傾斜角度は２０°〜３０°である。底面２２は平坦面となっている。この膨張構造の内部には中空気室２０が設けられている。中空気室２０に吸気、排気の作用を持たせるために、膨張構造２の任意の場所に気体の注入、排出バルブ２３及びこのバルブ２３を開閉するための栓蓋２４が設置される。
【００１２】
図５は弾性サポーターの第２の実施の形態を示している。図示のように、膨張構造２の頂面２１に、滑り止めの作用をもったウェーブ状、のこぎり歯ウェーブ状、交差ウェーブ状などの波形ウェーブ構造２５が形成されることによって、膨張構造２の頂面２１と枕マット１の底面に摩擦作用が生じ、ウェーブ構造２５の頂面２１は頭部や顔に最適なサポート効果を発揮するとともに、頭部や顔に対する圧迫感も軽減される。
【００１３】
図６は弾性サポーターの第３の実施の形態を示している。図示のように、膨張構造２の底面２２に、滑り止めの作用をもったウェーブ状、のこぎり歯ウェーブ状、交差ウェーブ状などの波形ウェーブ構造２６が形成されることによって、膨張構造２の底面２２及び袋１１の底面とデスクの間の接触面が大きくなり、適度な摩擦作用が生じる。これにより、快適枕構造１０がデスクの上から滑り落ちるのを防止できる。
【００１４】
図７は弾性サポーターの第４の実施の形態を示している。図示のように、膨張構造２の内側に最低一枚の水平隔離板２７が設けられ、膨張構造２の内部が二つ以上の気室２０に分割されている。言い換えれば、二枚の水平隔離板２７を設置すれば三つの気室２０を形成することができ、この原則に基づいて気室２０の種々の形態を類推することができる。また、全ての気室２０に気体を注入、排出するためのバルブ２３及びこのバルブ２３を開閉するための栓蓋２４が取り付けられている。これにより、使用者は各気室の飽和の度合いを変えることで枕マット１の高さを調整し、使用者の異なる体型に合わせた最適な高さを得ることができる。
【００１５】
図８は弾性サポーターの第５の実施の形態を示している。図示のように、膨張構造２の内側に最低一枚の垂直隔離板２８が設けられ、膨張構造２の内部を二つ以上の気室２０に分割している。言い換えれば、二枚の垂直隔離板２８を設置すれば三つの気室２０を形成することができ、この原則に基づいて気室２０の種々の形態を類推することができる。また、全ての気室２０に気体を注入、排出するためのバルブ２３、及びこのバルブ２３を開閉するための栓蓋２４が取り付けられている。これにより、使用者は各気室の飽和の度合いを変えることで袋１１の長さを自由に調整することができる。
【００１６】
図９は弾性サポーターの第６の実施の形態を示している。図示のように、この弾性サポーターＡは、気体、液体または流体を注入できる中空の樹脂膨張構造２、及びこの膨張構造２の底部に結合された一つの固型化発泡体４によって構成される。発泡体４にはポリスチロール、発泡スチロール、スポンジ等を採用することができる。
【００１７】
図１０は本考案の第２の実施の形態を示している。図示のように、快適枕構造１０は外袋１４、外袋の内側に設けられた軟性枕芯材１５によって構成され、柔軟性と快適さを兼ね備えた枕マット１、及び外袋１４の内側で枕芯材１５の下に設置され、枕マット１に傾斜角を形成するための一つの弾性サポーターＡによって構成される。この場合、弾性サポーターＡは前述の第１から第５の実施の形態のいずれかを採用することができる。弾性サポーターＡの各実施の形態は既に説明した内容であるため、ここでは説明を省略する。また、外袋１４の袋口には袋口を開閉するためのファスナー１７が設置される。なお、ファスナー１７に代えてマジックテープ（登録商標）、ボタン、隠しボタン、引っ掛けフック、紐止め等を用いることができることは勿論である。
【００１８】
図１１は本考案の第３の実施の形態を示している。図示のように、枕マット１、及び枕マットの下の弾性サポーターＡは固定構造１６によって結合される。固定構造１６は図示のようなマジックテープ（登録商標）１６１、１６２で構成できる他、図示を省略するが、ゴムテープ、ロープ、止め輪等を用いることもでき、この固定構造１６は様々な種類のものが考えられるため、枕マット１及び弾性サポーターＡを結合する機能を果たせるものは全てこの固定構造１６の範疇に含まれるものとする。
【００１９】
図１２、１３は快適枕構造の二種類の使用イメージを示している。図示のように、弾性サポーターＡ（例えば膨張構造２）は傾斜状の頂面２１及び平坦な底面２２を有し、その傾斜角度は２０°〜３０°である。弾性サポーターＡを袋１１に入れることによって、デスク上の枕マット１を傾斜させ、使用者は顔部（図１２を参照）若しくは額部（図１３を参照）を枕マット１に当てることができる。前者の場合、頸部、肩の凝りや痛みを防止することができ、後者の場合、メイクの崩れを防止することができる。さらに、膨張構造２及び枕マット１は適度な緩衝作用を備えているため、快適枕１０をうつ伏せ寝の枕若しくは背もたれクッションとして利用した場合は使用者の頭部や背中に最適な弾性サポート効果を発揮することができる。
【図面の簡単な説明】
【００２０】
【図１】本考案の第１の実施の形態における快適枕構造の外観斜視図
【図２】同快適枕構造の分解斜視図
【図３】同快適枕構造の断面図
【図４】同快適枕構造に採用する弾性サポーターの第１の実施の形態を示す斜視図
【図５】同快適枕構造に採用する弾性サポーターの第２の実施の形態を示す斜視図
【図６】同快適枕構造に採用する弾性サポーターの第３の実施の形態を示す斜視図
【図７】同快適枕構造に採用する弾性サポーターの第４の実施の形態を示す斜視図
【図８】同快適枕構造に採用する弾性サポーターの第５の実施の形態を示す斜視図
【図９】同快適枕構造に採用する弾性サポーターの第６の実施の形態を示す斜視図
【図１０】本考案の第２の実施の形態における快適枕構造の断面図
【図１１】本考案の第３の実施の形態における快適枕構造の分解斜視図
【図１２】本考案の各実施の形態における快適枕構造による枕の使用イメージ図
【図１３】本考案の各実施の形態における快適枕構造による枕の使用イメージ図
【符号の説明】
【００２１】
１０  快適枕構造
Ａ  弾性サポーター
１  枕マット
１１  袋
１１１  袋口
１２  遮蔽部
１３１、１３２  マジックテープ（登録商標）
１４  外袋
１５  枕芯材
１６  固定構造
１６１、１６２  マジックテープ（登録商標）
１７  ファスナー
２  膨張構造
２０  気室
２１  頂面
２２  底面
２３  バルブ
２４  栓蓋
２５  滑り止め構造
２６  滑り止め構造
２７  水平隔離板
２８  垂直隔離板
３  充填材
【図１】
0003128665.tif 000003
【図２】
0003128665.tif 000004
【図３】
0003128665.tif 000005
【図４】
0003128665.tif 000006
【図５】
0003128665.tif 000007
【図６】
0003128665.tif 000008
【図７】
0003128665.tif 000009
【図８】
0003128665.tif 000010
【図９】
0003128665.tif 000011
【図１０】
0003128665.tif 000012
【図１１】
0003128665.tif 000013
【図１２】
0003128665.tif 000014
【図１３】
0003128665.tif 000015